(57)【要約】【課題】断層像の一部が削られる表示モードへ移行した時に見えなくなってしまう部分を移行前に操作者に報知する。【解決手段】Ｂモード画像Ｇｂの全体を画面に表示している第１の表示モードからＢモード画像Ｇｂの一部およびドプラ画像を画面に並べて表示する第２の表示モードへと移行する指示が与えられたときに、第２の表示モードで表示されるＢモード画像の部分を操作者に報知する表示範囲枠Ｆを移行前に表示する。【効果】断層像の一部と別の画像を並べて表示する表示モードに移行する前に、移行後に見えなくなる断層像の部分をあらかじめ知ることが出来る。【選択図】        図６
2004283349.tif 000002
【特許請求の範囲】
【請求項１】
超音波探触子と、前記超音波探触子を駆動して超音波を送受信し受信信号を出力する送受信手段と、前記受信信号に基づき断層像を生成する断層像生成手段と、前記受信信号に基づき前記断層像とは異なる第２の画像を生成する第２画像生成手段と、断層像の全体を画面に表示している第１の表示モードから断層像の一部および第２の画像を画面に並べて表示する第２の表示モードへと移行する指示が与えられたときに第２の表示モードで表示される断層像の部分を移行前に操作者に報知する表示範囲報知手段とを具備したことを特徴とする超音波診断装置。
【請求項２】
請求項１に記載の超音波診断装置において、前記第２の画像がタイムライン画像であることを特徴とする超音波診断装置。
【発明の詳細な説明】
【０００１】
【発明の属する技術分野】
本発明は、超音波診断装置に関し、更に詳しくは、断層像の一部が削られる表示モードへ移行した時に見えなくなってしまう部分を移行前に操作者に報知しうる超音波診断装置に関する。
【０００２】
【従来の技術】
超音波診断装置には、断層像およびタイムライン画像を並べて表示する表示モードがある（例えば、特許文献１、非特許文献１、非特許文献２参照。）。
【０００３】
【特許文献１】
特開２００１−１２０５５２号公報（図２〜図５）
【非特許文献１】
日本電子機械工業会編「医用超音波機器ハンドブック」コロナ社、１９９７年１月２０日、第４５頁の図２．４４
【非特許文献２】
久直史その他編著「腹部カラードプラ診断」金原出版、１９９８年４月２０日、第５０頁の図９
【０００４】
【発明が解決しようとする課題】
上記従来の表示モードでは、表示面積の制限から、断層像およびタイムライン画像を並べて表示するとき、断層像の隅部分を削って表示している。
しかし、タイムライン画像に係る関心ボリュームが断層像の隅部分に位置している場合、断層像およびタイムライン画像を並べて表示する表示モードに移行した途端に、断層像上で関心ボリュームが見えなくなってしまう問題点がある。
そこで、本発明の目的は、断層像の一部が削られる表示モードへ移行した時に見えなくなってしまう部分を移行前に操作者に報知しうる超音波診断装置を提供することにある。
【０００５】
【課題を解決するための手段】
第１の観点では、本発明は、超音波探触子と、前記超音波探触子を駆動して超音波を送受信し受信信号を出力する送受信手段と、前記受信信号に基づき断層像を生成する断層像生成手段と、前記受信信号に基づき前記断層像とは異なる第２の画像を生成する第２画像生成手段と、断層像の全体を画面に表示している第１の表示モードから断層像の一部および第２の画像を画面に並べて表示する第２の表示モードへと移行する指示が与えられたときに第２の表示モードで表示される断層像の部分を移行前に操作者に報知する表示範囲報知手段とを具備したことを特徴とする超音波診断装置を提供する。
上記構成において、断層像とは、Ｂモード画像やＣＦＭ（Ｃｏｌｏｒ  Ｆｌｏｗ  Ｍａｐｐｉｎｇ）画像などのように生体の断面に相当する２次元超音波画像を意味する。また、第２の画像は、第１の表示モードで表示されている断層像とは異なる断層像であってもよいし、ドプラ画像やＭモード画像のようなタイムライン画像であってもよいし、数値リストのようなデータ画像であってもよいし、さらに他の画像であってもよい。
上記第１の観点による超音波診断装置では、断層像の全体を画面に表示している表示モードから断層像の一部および第２の画像を画面に並べて表示する表示モードへと移行する前に、移行後に表示される断層像の部分が報知される。従って、操作者は、関心のある部分が移行後でも断層像上で見えるか、関心のある部分が移行後には断層像上で見えなくなるかを、予め知ることが出来る。
【０００６】
第２の観点では、本発明は、上記構成の超音波診断装置において、前記第２の画像がタイムライン画像であることを特徴とする超音波診断装置を提供する。
上記第２の観点による超音波診断装置では、断層像の全体を画面に表示している表示モードから断層像の一部およびタイムライン画像を画面に並べて表示する表示モードへと移行する前に、移行後に表示される断層像の部分が報知される。従って、操作者は、タイムライン画像に係る関心ボリュームのある部分が移行後でも断層像上で見えるか、関心ボリュームのある部分が移行後には断層像上で見えなくなるかを、予め知ることが出来る。
【０００７】
【発明の実施の形態】
以下、図に示す実施の形態により本発明を詳細に説明する。なお、これにより本発明が限定されるものではない。
【０００８】
−第１の実施形態−
図１は、第１の実施形態に係る超音波診断装置１００を示す構成図である。
この超音波診断装置１００は、超音波探触子１と、超音波探触子１を駆動して超音波で被検体内を走査し受信信号を出力する送受信部２と、受信信号を基にＢモード信号を生成するＢモード処理部３と、受信信号を基にドプラ信号を生成するドプラモード処理部４と、画像の生成及び表示を制御する表示制御部５Ａと、表示制御部５Ａが生成した画像を表示する表示部６と、操作者が指示を与えるための操作部７とを具備して構成されている。
そして、表示制御部５Ａは、Ｂモード信号を基にＢモード画像を生成するＢモード画像生成部１０と、ドプラ信号を基にドプラ画像を生成するドプラ画像生成部１１Ａと、指示された表示モードに応じた画面構成を行う画面構成部１２と、画面構成が変更される時に変更後のＢモード画像の表示範囲を示す枠の位置を記憶する表示範囲記憶部１３とを含んでいる。
【０００９】
図２は、本発明に係る操作例および超音波診断装置１００の動作例を示すフロー図である。
【００１０】
ステップＳ１では、操作者は、Ｂモード画像の全体を画面に表示する第１の表示モードを指示する。
ステップＳ２では、超音波診断装置１００は、図３に示すように、Ｂモード画像Ｇｂの全体を画面に表示する。
【００１１】
ステップＳ３では、操作者は、図４に示すように、ドプラ画像に係る関心ボリュームＶの位置を指示する。
ステップＳ４では、超音波診断装置１００は、関心ボリュームＶに係るドプラ画像を生成する。
【００１２】
ステップＳ５では、操作者は、図５の（ａ）に示す「一部表示」画面構成か、図５の（ｂ）に示す「縮小表示」画面構成か、いずれかの第２の表示モードを選択し、指示する。
【００１３】
ステップＳ６では、超音波診断装置１００は、「一部表示」画面構成が指示されたならステップＳ７へ進み、「縮小表示」画面構成が指示されたならステップＳ１４へ進む。
【００１４】
ステップＳ７では、超音波診断装置１００は、記憶していた最新の表示範囲枠の位置を読み出し、図６に示すように、Ｂモード画像Ｇｂと重ねて表示範囲枠Ｆを画面に表示する。
【００１５】
ステップＳ８では、操作者は、表示範囲枠Ｆの位置を「移動」するか、現在の表示範囲枠Ｆの位置で「ＯＫ」か、「縮小表示」画面構成に変えるか、を指示する。
ステップＳ９では、超音波診断装置１００は、「移動」が指示されたらステップＳ１０へ進み、「ＯＫ」が指示されたらステップＳ１２へ進み、「縮小表示」が指示されたらステップＳ１４へ進む。
【００１６】
ステップＳ１０，Ｓ１１では、操作者は、表示範囲枠Ｆをドラッグし、超音波診断装置１００は、図７に示すように、表示範囲枠Ｆを移動する。そして、操作者は、関心ボリュームＶを含むような位置に表示範囲枠Ｆを移動すると「ＯＫ」を指示し、超音波診断装置１００は、「ＯＫ」が指示されたらステップＳ１２へ進む。
【００１７】
ステップＳ１２では、超音波診断装置１００は、Ｂモード画像Ｇｂの表示範囲枠Ｆ内の部分を切り出す。
ステップＳ１３では、超音波診断装置１００は、図８に示すように、切り出したＢモード画像Ｇｂ’およびドプラ画像Ｇｄを図５の（ａ）の画面構成に従って並べて表示する。そして、処理を終了する。
【００１８】
ステップＳ１４では、超音波診断装置１００は、Ｂモード画像の全体を縮小する。
ステップＳ１５では、超音波診断装置１００は、図９に示すように、縮小したＢモード画像Ｇｂ”およびドプラ画像Ｇｄを図５の（ｂ）の画面構成に従って並べて表示する。そして、処理を終了する。
【００１９】
第１の実施形態の超音波診断装置１００によれば、次の効果が得られる。
（１）Ｂモード画像Ｇｂの全体を画面に表示している第１の表示モードからＢモード画像Ｇｂの一部およびドプラ画像Ｇｄを画面に並べて表示する第２の表示モードへと移行する指示が与えられたときに、表示範囲枠Ｆを表示することによって、第２の表示モードで表示されるＢモード画像Ｇｂの部分を操作者に移行前に報知することが出来る。
（２）第２の表示モードで表示されるＢモード画像Ｇｂの部分が不満足な場合は、表示範囲枠Ｆを移動することによって、第２の表示モードで所望部分が表示されるように変更することが出来る。あるいは、画面構成を変えることによって、第２の表示モードで所望部分が表示されるように変更することが出来る。
（３）最新の表示範囲枠Ｆの位置を記憶しているから、デフォルト位置から毎回移動させる手間がかからない。
【００２０】
−第２の実施形態−
図１０は、第２の実施形態に係る超音波診断装置２００を示す構成図である。
この超音波診断装置２００は、超音波探触子１と、超音波探触子１を駆動して超音波で被検体内を走査し受信信号を出力する送受信部２と、受信信号を基にＢモード信号を生成するＢモード処理部３と、画像の生成及び表示を制御する表示制御部５Ｂと、表示制御部５Ｂが生成した画像を表示する表示部６と、操作者が指示を与えるための操作部７とを具備して構成されている。
そして、表示制御部５Ｂは、Ｂモード信号を基にＢモード画像を生成するＢモード画像生成部１０と、Ｂモード信号を基にＭモード画像を生成するＭモード画像生成部１１Ｂと、指示された表示モードに応じた画面構成を行う画面構成部１２と、画面構成が変更される時に変更後のＢモード画像の表示範囲を示す枠の位置を記憶する表示範囲記憶部１３とを含んでいる。
【００２１】
第２の実施形態の超音波診断装置２００の操作および動作は、第１の実施形態の超音波診断装置１００の操作および動作と同様である。
【００２２】
第２の実施形態の超音波診断装置２００によれば、次の効果が得られる。
（１）Ｂモード画像の全体を画面に表示している第１の表示モードからＢモード画像の一部およびＭモード画像を画面に並べて表示する第２の表示モードへと移行する指示が与えられたときに、表示範囲枠を表示することによって、第２の表示モードで表示されるＢモード画像の部分を操作者に移行前に報知することが出来る。
（２）第２の表示モードで表示されるＢモード画像の部分が不満足な場合は、表示範囲枠を移動することによって、第２の表示モードで所望部分が表示されるように変更することが出来る。あるいは、画面構成を変えることによって、第２の表示モードで所望部分が表示されるように変更することが出来る。
（３）最新の表示範囲枠の位置を記憶しているから、デフォルト位置から毎回移動させる手間がかからない。
【００２３】
−第３の実施形態−
図１１は、第３の実施形態に係る超音波診断装置３００を示す構成図である。
この超音波診断装置３００は、超音波探触子１と、超音波探触子１を駆動して超音波で被検体内を走査し受信信号を出力する送受信部２と、受信信号を基にＢモード信号を生成するＢモード処理部３と、受信信号を基にドプラ信号を生成するドプラモード処理部４と、受信信号を基にＣＦＭ信号を生成するＣＦＭ処理部８と、画像の生成及び表示を制御する表示制御部５Ｃと、表示制御部５Ｃが生成した画像を表示する表示部６と、操作者が指示を与えるための操作部７とを具備して構成されている。
そして、表示制御部５Ｃは、Ｂモード信号を基にＢモード画像を生成するＢモード画像生成部１０と、ドプラ信号を基にドプラ画像を生成するドプラ画像生成部１１Ａと、ＣＦＭ信号を基にＣＦＭ画像を生成するＣＦＭ画像生成部１１Ｃと、指示された表示モードに応じた画面構成を行う画面構成部１２と、画面構成が変更される時に変更後のＢモード画像の表示範囲を示す枠の位置を記憶する表示範囲記憶部１３とを含んでいる。
【００２４】
第３の実施形態の超音波診断装置３００の操作および動作は、第１の実施形態の超音波診断装置１００の操作および動作と同様である。
【００２５】
第３の実施形態の超音波診断装置３００によれば、次の効果が得られる。
（１）Ｂモード画像の全体を画面に表示している第１の表示モードからＢモード画像の一部およびドプラ画像およびＣＦＭ画像を画面に並べて表示する第２の表示モードへと移行する指示が与えられたときに、表示範囲枠を表示することによって、第２の表示モードで表示されるＢモード画像の部分を操作者に移行前に報知することが出来る。
（２）第２の表示モードで表示されるＢモード画像の部分が不満足な場合は、表示範囲枠を移動することによって、第２の表示モードで所望部分が表示されるように変更することが出来る。あるいは、画面構成を変えることによって、第２の表示モードで所望部分が表示されるように変更することが出来る。
（３）最新の表示範囲枠の位置を記憶しているから、デフォルト位置から毎回移動させる手間がかからない。
【００２６】
−他の実施形態−
表示範囲枠を表示する代わりに、移行後に見える部分と見えなくなる部分とを識別可能に表示形態（色，輝度，ブリンキングなど）を変えて表示してもよい。
【００２７】
【発明の効果】
本発明の超音波診断装置によれば、断層像の全体を画面に表示している第１の表示モードから断層像の一部および別の画像を並べて表示する第２の表示モードに移行する前に、移行後に見えなくなる断層像の部分をあらかじめ知ることが出来る。
【図面の簡単な説明】
【図１】第１の実施形態に係る超音波診断装置を示す構成図である。
【図２】第１の実施形態に係る超音波診断装置の操作および動作を示すフロー図である。
【図３】Ｂモード画像の全体を表示する画面を示す説明図である。
【図４】Ｂモード画像上に関心ボリュームの位置を設定する状態を示す説明図である。
【図５】画面構成の選択肢を示す説明図である。
【図６】Ｂモード画像に表示範囲枠を重ねて表示した画面を示す説明図である。
【図７】Ｂモード画像上で表示範囲枠を移動した画面を示す説明図である。
【図８】一部を切り取ったＢモード画像とドプラ画像とを並べて表示した画面を示す説明図である。
【図９】縮小したＢモード画像とドプラ画像とを並べて表示した画面を示す説明図である。
【図１０】第２の実施形態に係る超音波診断装置を示す構成図である。
【図１１】第３の実施形態に係る超音波診断装置を示す構成図である。
【符号の説明】
１                          超音波探触子
２                          送受信部
３                          Ｂモード処理部
４                          ドプラモード処理部
５Ａ，５Ｂ，５Ｃ            表示制御部
６                          表示部
７                          操作部
８                          ＣＦＭ処理部
１０                        Ｂモード画像生成部
１１Ａ                      ドプラ画像生成部
１１Ｂ                      Ｍモード画像生成部
１１Ｃ                      ＣＦＭ画像生成部
１００，２００，３００      超音波診断装置
Ｆ                          表示範囲枠
Ｇｂ，Ｇｂ’，Ｇｂ”        Ｂモード画像
Ｇｄ                        ドプラ画像
Ｖ                          関心ボリューム
【図１】
2004283349.tif 000003
【図２】
2004283349.tif 000004
【図３】
2004283349.tif 000005
【図４】
2004283349.tif 000006
【図５】
2004283349.tif 000007
【図６】
2004283349.tif 000008
【図７】
2004283349.tif 000009
【図８】
2004283349.tif 000010
【図９】
2004283349.tif 000011
【図１０】
2004283349.tif 000012
【図１１】
2004283349.tif 000013